(57)【要約】【課題】人物の流動の傾向を適正に解析することができる解析システムを提供することを目的とする。【解決手段】解析システム１は、複数の路線を移動する複数の移動体Ｖにそれぞれ搭載され、当該移動体Ｖの内部の画像を表す画像データ、及び、当該移動体Ｖの内部の画像が撮像された位置を表す位置データを含む解析用データを収集する複数のデータ収集装置１０と、複数のデータ収集装置１０によって収集された解析用データに基づいて、複数の路線の各路線ごとに、複数の移動体Ｖの乗車人数を計数するデータ解析装置２０とを備えることを特徴とする。【選択図】図１
2020071494.tif 000002
【特許請求の範囲】
【請求項１】
複数の路線を移動する複数の移動体にそれぞれ搭載され、当該移動体の内部の画像を表す画像データ、及び、当該移動体の内部の画像が撮像された位置を表す位置データを含む解析用データを収集する複数のデータ収集装置と、
前記複数のデータ収集装置によって収集された前記解析用データに基づいて、前記複数の路線の各路線ごとに、前記複数の移動体の乗車人数を計数するデータ解析装置とを備えることを特徴とする、
解析システム。
【請求項２】
前記データ解析装置は、前記画像データが表す画像に含まれる人物の数に基づいて、前記乗車人数を計数する、
請求項１に記載の解析システム。
【請求項３】
前記データ解析装置は、前記解析用データに含まれる前記位置データに基づいて、前記複数のデータ収集装置によって収集された前記解析用データから、前記複数の路線のうち特定の路線を移動した前記移動体の前記乗車人数を抽出し、当該特定の路線を移動した全ての前記移動体の当該特定の路線での前記乗車人数を集約し、当該特定の路線における全ての前記移動体の合計の前記乗車人数を計数する、
請求項１又は請求項２に記載の解析システム。
【請求項４】
前記データ解析装置は、前記解析用データに基づいて、前記複数の路線の各路線ごとに、前記画像データが表す画像に含まれる人物の属性を解析する、
請求項１乃至請求項３のいずれか１項に記載の解析システム。
【請求項５】
前記移動体は、内部に、コンテンツを出力可能である出力装置が搭載され、
前記データ解析装置は、前記複数の路線の各路線ごとの前記乗車人数に基づいて、前記複数の路線の各路線ごとに、前記出力装置が出力する前記コンテンツを受容可能な受容可能範囲を通過した通過者人数を表す指標を算出する、
請求項１乃至請求項４のいずれか１項に記載の解析システム。
【発明の詳細な説明】
【技術分野】
【０００１】
本発明は、解析システムに関する。
【背景技術】
【０００２】
従来の解析システムとして、例えば、特許文献１には、通行情報取得ユニットと、情報出力ユニットと、表示ユニットとを備えた情報表示システムが開示されている。通行情報取得ユニットは、人の通行に関する通行情報を取得する。情報出力ユニットは、通行情報取得ユニットによって取得された通行情報に基づいて情報を選択的に出力する。表示ユニットは、情報出力ユニットが選択的に出力した情報を、通行情報に対応した人が通行している場所に表示する。この情報表示システムは、例えば、通行情報取得ユニットで取得された通行情報に基づいて人の通行量に応じて情報を表示させることで、当該情報の表示効果に応じた課金を可能としている。
【先行技術文献】
【特許文献】
【０００３】
【特許文献１】特開２００３−３０２９２３号公報
【発明の概要】
【発明が解決しようとする課題】
【０００４】
ところで、上述のようなシステムは、例えば、人物の通行量や当該通行量を基に算出した各種指標等、任意の地点や地域における人の流動の傾向を表す指標を、商圏調査、マーケティング、広告、広告料を決める際の判断材料、防災・都市計画等の様々な用途で活用する場合がある。そして、解析システムは、例えば、バス等の移動体が移動する各路線における人物の流動の傾向を解析する場合があるが、このような場合であっても適正に人物の流動の傾向が解析できることが望まれている。
【０００５】
本発明は、上記の事情に鑑みてなされたものであって、人物の流動の傾向を適正に解析することができる解析システムを提供することを目的とする。
【課題を解決するための手段】
【０００６】
上記目的を達成するために、本発明に係る解析システムは、複数の路線を移動する複数の移動体にそれぞれ搭載され、当該移動体の内部の画像を表す画像データ、及び、当該移動体の内部の画像が撮像された位置を表す位置データを含む解析用データを収集する複数のデータ収集装置と、前記複数のデータ収集装置によって収集された前記解析用データに基づいて、前記複数の路線の各路線ごとに、前記複数の移動体の乗車人数を計数するデータ解析装置とを備えることを特徴とする。
【０００７】
また、上記解析システムでは、前記データ解析装置は、前記画像データが表す画像に含まれる人物の数に基づいて、前記乗車人数を計数するものとすることができる。
【０００８】
また、上記解析システムでは、前記データ解析装置は、前記解析用データに含まれる前記位置データに基づいて、前記複数のデータ収集装置によって収集された前記解析用データから、前記複数の路線のうち特定の路線を移動した前記移動体の前記乗車人数を抽出し、当該特定の路線を移動した全ての前記移動体の当該特定の路線での前記乗車人数を集約し、当該特定の路線における全ての前記移動体の合計の前記乗車人数を計数するものとすることができる。
【０００９】
また、上記解析システムでは、前記データ解析装置は、前記解析用データに基づいて、前記複数の路線の各路線ごとに、前記画像データが表す画像に含まれる人物の属性を解析するものとすることができる。
【００１０】
また、上記解析システムでは、前記移動体は、内部に、コンテンツを出力可能である出力装置が搭載され、前記データ解析装置は、前記複数の路線の各路線ごとの前記乗車人数に基づいて、前記複数の路線の各路線ごとに、前記出力装置が出力する前記コンテンツを受容可能な受容可能範囲を通過した通過者人数を表す指標を算出するものとすることができる。
【発明の効果】
【００１１】
本発明に係る解析システムは、複数の移動体にそれぞれ搭載された複数のデータ収集装置によって、各移動体の内部の画像を表す画像データ、及び、位置データを含む解析用データを収集することができる。そして、データ解析装置は、複数のデータ収集装置によって収集された当該解析用データに基づいて、複数の路線の各路線ごとに、複数の移動体の乗車人数を計数することができる。この結果、この解析システムは、人物の流動の傾向を適正に解析することができる、という効果を奏する。
【図面の簡単な説明】
【００１２】
【図１】図１は、実施形態１に係る解析システムの概略構成を表すブロック図である。
【図２】図２は、実施形態１に係る解析システムの解析対象である１台の移動体の乗車人数の一例を表す図である。
【図３】図３は、実施形態１に係る解析システムの解析対象である１台の移動体が走行する路線の一例を表す模式図である。
【図４】図４は、実施形態１に係る解析システムの解析対象である複数の移動体が走行する複数の路線の一例を表す模式図である。
【図５】図５は、実施形態１に係る解析システムの解析対象である複数の移動体ごとの乗車人数の一例を表す図である。
【図６】図６は、実施形態１に係る解析システムの解析対象である複数の路線ごとの乗車人数の一例を表す図である。
【図７】図７は、実施形態１に係る解析システムの解析対象である複数の路線ごとの乗車人数の一例を表す図である。
【図８】図８は、実施形態１に係る解析システムにおいて解析され加工された解析結果データの一例を表す模式図である。
【図９】図９は、実施形態１に係る解析システムにおける処理の一例を表すフローチャート図である。
【発明を実施するための形態】
【００１３】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１４】
［実施形態１］
図１に示す本実施形態の解析システム１は、複数のデータ収集装置としての記録装置１０と、データ解析装置としての解析装置２０とを備え、解析装置２０によって解析された解析結果データをクライアント端末ＣＬに提供するシステムである。本実施形態の解析システム１は、移動体Ｖに搭載された記録装置１０を活用し、当該記録装置１０によって収集される画像データ等に基づいて人物の流動の傾向を解析するものである。そして、本実施形態の解析システム１は、複数の路線を移動する複数の移動体Ｖにそれぞれ搭載された記録装置１０によって収集された解析用データを組み合わせることで、各路線ごとに適正に人物の流動の傾向を解析することができる構成を実現したものである。以下、各図を参照して解析システム１の構成について詳細に説明する。
【００１５】
記録装置１０は、移動体Ｖに搭載され、解析装置２０による解析に用いる解析用データを収集するものである。記録装置１０によって収集される解析用データは、画像データ、及び、位置データを含むデータである。画像データは、移動体Ｖの内部の画像を表すデータである。位置データは、当該移動体Ｖの内部の画像が撮像された位置を表すデータである。記録装置１０は、解析用データとして、画像データ、及び、位置データを収集する。解析用データは、解析装置２０による人物の流動の傾向の解析に用いられる。
【００１６】
ここで、記録装置１０が搭載される移動体Ｖは、典型的には、予め定められた複数の路線を移動可能に構成された物体である。移動体Ｖは、典型的には、自家用車、レンタカー、シェアリングカー、ライドシェアカー、バス、タクシー、トラック、輸送車、作業車等の路面を走行する車両である。また、移動体Ｖは、車両に限らず、例えば、フライングカーやドローン等、空中を飛行する飛行体であってもよい。本実施形態の移動体Ｖは、一例として、一日の間に予め定められた複数の路線を繰り返し走行する路線バスであるものとして説明する。路線バス等の移動体Ｖは、例えば、配車の効率化等のために、１台の移動体Ｖが一日の間に複数の路線を走行しつつ、複数の移動体Ｖが複数の路線に渡って使い分けられて運行する場合がある。本実施形態の記録装置１０は、このように複数の路線を移動する当該複数の移動体Ｖにそれぞれ搭載される。つまり、本実施形態の解析システム１は、複数の路線を移動する複数の移動体Ｖにそれぞれ搭載された複数の記録装置１０を備え、当該複数の記録装置１０から解析用データを収集することが可能である。
【００１７】
具体的には、記録装置１０は、内部カメラ１１と、位置情報測定器１２と、データ入出力部１３と、制御部１４とを備える。記録装置１０は、例えば、移動体Ｖに搭載されるいわゆるドライブレコーダ等の車載機器を用いることができるがこれに限らない。
【００１８】
内部カメラ１１は、移動体Ｖの内部、すなわち、車内の画像を撮像する内部撮像装置である。内部カメラ１１は、当該移動体Ｖの内部の画像を撮像し、当該移動体Ｖの内部の画像を表す画像データを収集する。内部カメラ１１は、典型的には、移動体Ｖの内部の動画像を撮像する。内部カメラ１１は、解析システム１による解析対象である人物、ここでは、移動体Ｖの車内の乗客等を撮像可能な画角となるように移動体Ｖに設置される。内部カメラ１１は、移動体Ｖの内部の人物をより好適に撮像可能なように、移動体Ｖの内部の天井部等に複数設けられてもよい。内部カメラ１１は、単眼カメラであってもよいし、ステレオカメラであってもよい。また、内部カメラ１１が撮像する画像は、モノクロであってもよいしカラーであってもよい。制御部１４は、この内部カメラ１１と通信可能に接続され、相互に各種信号、データを授受可能である。内部カメラ１１は、収集した画像データを制御部１４に出力する。
【００１９】
位置情報測定器１２は、移動体Ｖの現在位置を測定する測位器である。位置情報測定器１２は、例えば、ＧＰＳ（Ｇｌｏｂａｌ  Ｐｏｓｉｔｉｏｎｉｎｇ  Ｓｙｓｔｅｍ）衛星から送信される電波を受信するＧＰＳ受信器等を用いることができる。位置情報測定器１２は、ＧＰＳ衛星から送信される電波を受信し移動体Ｖの現在位置を表す情報としてＧＰＳ情報（緯度経度座標）を取得することで、移動体Ｖの内部の画像が撮像された位置を表す位置データを収集する。位置情報測定器１２は、制御部１４と通信可能に接続されており、収集した位置データを制御部１４に出力する。
【００２０】
データ入出力部１３は、記録装置１０とは異なる機器と当該記録装置１０との間で各種データを入出力するものである。本実施形態のデータ入出力部１３は、記録装置１０とは異なる機器である解析装置２０に対して、解析用データを出力可能である。データ入出力部１３は、例えば、ネットワークを介した通信（有線、無線を問わない）によって、記録装置１０とは異なる機器との間でデータを入出力する構成であってもよい。また、データ入出力部１３は、例えば、スロット部を有し当該スロット部に差し込まれた記録媒体を介して、記録装置１０とは異なる機器との間でデータを入出力する構成であってもよい。ここで、記録媒体は、例えば、スロット部を介して記録装置１０に脱着可能なメモリ（リムーバブルメディア）である。記録媒体は、例えば、様々な形式のメモリカード、例えばＳＤカードなどを用いることができるがこれに限らない。
【００２１】
制御部１４は、記録装置１０の各部を統括的に制御するものである。制御部１４は、解析用データを収集するための種々の演算処理を実行する。制御部１４は、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）等の中央演算処理装置、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、及び、インターフェースを含む周知のマイクロコンピュータを主体とする電子回路を含んで構成される。制御部１４は、内部カメラ１１、位置情報測定器１２、データ入出力部１３等の各部と通信可能に接続され、各部との間で相互に各種信号、データを授受可能である。
【００２２】
より具体的には、制御部１４は、記憶部１４Ａ、及び、処理部１４Ｂを含んで構成される。記憶部１４Ａ、及び、処理部１４Ｂは、各部との間で相互に各種信号、データを授受可能である。記憶部１４Ａは、処理部１４Ｂでの各種処理に必要な条件や情報、制御部１４で実行する各種プログラムやアプリケーション、制御データ等が格納されている。記憶部１４Ａは、解析用データを、収集した時刻等と共に記憶することができる。言い換えれば、解析用データは、当該データを収集した時刻を表す時刻データやその他のデータも含む。記憶部１４Ａは、例えば、処理部１４Ｂによる処理の過程で生成される各種データを一時的に記憶することもできる。記憶部１４Ａは、処理部１４Ｂ、データ入出力部１３等によってこれらのデータが必要に応じて読み出される。記憶部１４Ａは、例えば、ハードディスク、ＳＳＤ（Ｓｏｌｉｄ  Ｓｔａｔｅ  Ｄｒｉｖｅ）、光ディスクなどの比較的に大容量の記憶装置、あるいは、ＲＡＭ、フラッシュメモリ、ＮＶＳＲＡＭ（Ｎｏｎ  Ｖｏｌａｔｉｌｅ  Ｓｔａｔｉｃ  Ｒａｎｄｏｍ  Ａｃｃｅｓｓ  Ｍｅｍｏｒｙ）などのデータを書き換え可能な半導体メモリであってもよい。処理部１４Ｂは、各種入力信号等に基づいて、記憶部１４Ａに記憶されている各種プログラムを実行し、当該プログラムが動作することにより各部に出力信号を出力し各種機能を実現するための種々の処理を実行する。処理部１４Ｂは、内部カメラ１１、位置情報測定器１２の動作を制御し、画像データ、位置データを含む解析用データを収集する処理を実行する。また、処理部１４Ｂは、データ入出力部１３を介したデータの入出力に関わる処理を実行する。処理部１４Ｂは、例えば、解析用データを、データ入出力部１３を介して解析装置２０に出力する処理を実行する。
【００２３】
解析装置２０は、記録装置１０によって収集された解析用データを解析し、解析結果を表す解析結果データをクライアント端末ＣＬに提供するものである。解析装置２０、及び、クライアント端末ＣＬは、ネットワーク上に実装されるいわゆるクラウドサービス型の装置（クラウドサーバ）を構成してもよいし、ネットワークから切り離されたいわゆるスタンドアローン型の装置を構成してもよい。本実施形態の解析装置２０は、複数の記録装置１０によって収集された解析用データに基づいて、複数の路線の各路線ごとに、複数の移動体Ｖの乗車人数を計数する。さらに、本実施形態の解析装置２０は、複数の記録装置１０によって収集された解析用データに基づいて、複数の路線の各路線ごとに、画像データが表す画像に含まれる人物の属性を解析する。そして、本実施形態の解析装置２０は、各路線ごとの移動体Ｖの乗車人数の計数結果や移動体Ｖに乗車した人物の属性の解析結果等に基づく解析結果データを生成し、当該解析結果データをクライアント端末ＣＬに提供する。
【００２４】
解析装置２０は、解析用データに基づいて、各路線ごとに、複数の移動体Ｖの乗車人数を計数するための種々の演算処理を実行する。また、解析装置２０は、解析用データに基づいて、移動体Ｖに乗車した人物の属性を解析するための種々の演算処理を実行する。解析装置２０は、ＣＰＵ、ＧＰＵ等の中央演算処理装置、ＲＯＭ、ＲＡＭ、及び、インターフェースを含む周知のマイクロコンピュータを主体とする電子回路を含んで構成される。解析装置２０は、既知のＰＣやワークステーションなどのコンピュータシステムに下記で説明する種々の処理を実現させるアプリケーションをインストールすることで構成することもできる。また、解析装置２０は、複数のＰＣを相互通信可能に組み合わせることで構成されてもよい。
【００２５】
具体的には、解析装置２０は、データ入出力部２１と、記憶部２２と、処理部２３とを備える。データ入出力部２１、記憶部２２、及び、処理部２３は、各部との間で相互に各種信号、データを授受可能である。
【００２６】
データ入出力部２１は、解析装置２０とは異なる機器と当該解析装置２０との間で各種データを入出力するものである。本実施形態のデータ入出力部２１は、解析装置２０とは異なる機器である記録装置１０から解析用データを入力可能である。さらに、本実施形態のデータ入出力部２１は、解析装置２０とは異なる機器であるクライアント端末ＣＬに対して解析結果データを出力可能である。データ入出力部２１は、データ入出力部１３と同様に、例えば、ネットワークを介した通信（有線、無線を問わない）によって、解析装置２０とは異なる機器との間でデータを入出力する構成であってもよい。同様に、データ入出力部２１は、例えば、スロット部を有し当該スロット部に差し込まれた記録媒体を介して、解析装置２０とは異なる機器との間でデータを入出力する構成であってもよい。
【００２７】
記憶部２２は、処理部２３での各種処理に必要な条件や情報、処理部２３で実行する各種プログラムやアプリケーション、制御データ等が格納されている。記憶部２２は、データ入出力部２１によって入力された解析用データを記憶することができる。記憶部２２は、例えば、処理部２３による処理の過程で生成される各種データを一時的に記憶することもできる。記憶部２２は、データ入出力部２１、処理部２３等によってこれらのデータが必要に応じて読み出される。記憶部２２は、例えば、ハードディスク、ＳＳＤ、光ディスクなどの比較的に大容量の記憶装置、あるいは、ＲＡＭ、フラッシュメモリ、ＮＶＳＲＡＭなどのデータを書き換え可能な半導体メモリであってもよい。
【００２８】
より具体的には、記憶部２２は、機能概念的に、解析対象データベース（以下、「解析対象ＤＢ」と略記する。）２２Ａ、解析参照データベース（以下、「解析参照ＤＢ」と略記する。）２２Ｂ、及び、解析結果データベース（以下、「解析結果ＤＢ」と略記する。）２２Ｃを含んで構成される。
【００２９】
解析対象ＤＢ２２Ａは、処理部２３による解析対象データである解析用データ（画像データ、位置データ、時刻データ等）を蓄積しデータベース化して記憶する部分である。記録装置１０からデータ入出力部２１に入力された解析用データは、この解析対象ＤＢ２２Ａに記憶される。
【００３０】
解析参照ＤＢ２２Ｂは、処理部２３による解析用データの解析の際に参照する解析参照データを蓄積しデータベース化して記憶する部分である。解析参照データは、例えば、地図参照データ、属性予測参照データ等を含む。地図参照データは、位置データ等に基づいて移動体Ｖの位置、言い換えれば、移動体Ｖの内部の画像が撮像された位置を特定する際に参照する地図を表すデータである。属性予測参照データは、画像データが表す画像に含まれる人物の属性の推定の際等に参照するデータである。属性予測参照データについては、後で詳細に説明する。解析参照データは、処理部２３によって解析用データの解析の際に参照される。
【００３１】
解析結果ＤＢ２２Ｃは、処理部２３による解析用データの解析結果を表す解析結果データを蓄積しデータベース化して記憶する部分である。解析結果データは、例えば、各路線ごとの移動体Ｖの乗車人数の計数結果（路線別乗車人数データ）や移動体Ｖに乗車した人物の属性の解析結果（人物属性データ）等に基づくデータである。解析結果データは、処理部２３によって所望の形式に加工されて、データ入出力部２１からクライアント端末ＣＬに出力、提供される。
【００３２】
なお、解析対象ＤＢ２２Ａ、解析参照ＤＢ２２Ｂ、解析結果ＤＢ２２Ｃに記憶される各種データは、いわゆるビッグデータ（ｂｉｇ  ｄａｔａ）として活用することができる。
【００３３】
処理部２３は、各種入力信号等に基づいて、記憶部２２に記憶されている各種プログラムを実行し、当該プログラムが動作することにより解析用データを解析するための種々の処理を実行する。また、処理部２３は、解析結果データを所望の形式に加工する処理を実行する。また、処理部２３は、データ入出力部２１を介したデータの入出力に関わる処理を実行する。処理部２３は、例えば、所望の形式に加工された解析結果データを、データ入出力部２１を介してクライアント端末ＣＬに出力する処理を実行する。
【００３４】
より具体的には、処理部２３は、機能概念的に、データ前処理部２３Ａ、データ解析処理部２３Ｂ、及び、データ加工処理部２３Ｃを含んで構成される。
【００３５】
データ前処理部２３Ａは、解析対象データである解析用データに対して種々の前処理を施す部分である。データ前処理部２３Ａは、前処理として、例えば、解析対象ＤＢ２２Ａから解析対象データとなる解析用データを読み出し、当該解析用データに含まれる画像データが表す動画像から静止画像を切り出す処理を実行する。また、データ前処理部２３Ａは、前処理として、例えば、切り出した当該静止画像と、解析対象データとなる解析用データに含まれる位置データが表す位置と、解析対象データとなる解析用データに含まれる時刻データが表す時刻とを紐付する処理を実行する。
【００３６】
データ解析処理部２３Ｂは、データ前処理部２３Ａによって前処理が施された解析用データに基づいて、複数の路線の各路線ごとに、複数の移動体Ｖの乗車人数を計数する部分である。
【００３７】
典型的には、データ解析処理部２３Ｂは、データ前処理部２３Ａによって前処理が施された解析用データに含まれる画像データに基づいて、解析対象となる各移動体Ｖの乗車人数を計数する。ここでは、データ解析処理部２３Ｂは、当該画像データが表す画像に含まれる人物の数に基づいて、各移動体Ｖの乗車人数を計数する。データ解析処理部２３Ｂは、種々の公知の画像処理技術を用いて、画像データに基づいてデータ前処理部２３Ａによって切り出された静止画像から人物を検出し抽出する処理を実行する。そして、データ解析処理部２３Ｂは、検出、抽出した人物の数を計数し、当該計数した人物の数を移動体Ｖの内部の乗車人数として算出する。
【００３８】
なお、データ前処理部２３Ａは、画像データが表す画像に含まれる人物の検出、抽出を、収集した全ての画像データに対して行ってもよいし、移動体Ｖを構成する路線バスの扉の開閉時を含む所定期間に収集された画像データに対してのみ行ってもよい。この場合、データ前処理部２３Ａは、当該画像データが表す画像自体に基づいて、当該所定期間に収集された画像データを特定してもよいし、記録装置１０によって画像データを収集する際、路線バスの扉の開閉がなされたことをトリガとして、種々の公知の手法により、当該所定期間に収集された画像データを予め特定しておいてもよい。
【００３９】
データ解析処理部２３Ｂは、画像データが表す画像から人物を検出した場合、解析対象ＤＢ２２Ａから、当該人物が検出された画像データに紐付された位置データ、時刻データを読み出す。そして、データ解析処理部２３Ｂは、読み出した位置データ、時刻データと、解析参照ＤＢ２２Ｂに記憶されている地図参照データ（解析参照データ）とに基づいて、当該人物が検出された画像データが収集された際の当該移動体Ｖの位置、時刻を特定する。そして、データ解析処理部２３Ｂは、移動体Ｖの内部の画像が撮像された際の当該移動体Ｖの位置、時刻を特定しこれを時系列で並べ、時刻ごと、位置ごとの移動体Ｖの内部の乗車人数を特定する。
【００４０】
そして、データ解析処理部２３Ｂは、特定した当該移動体Ｖの位置、時刻に基づいて、予め定められた複数の路線のうち、乗車人数の計数対象となった当該移動体Ｖが走行した路線、及び、当該路線を走行した時刻を特定する。そして、データ解析処理部２３Ｂは、乗車人数の計数対象となった当該移動体Ｖ、当該移動体Ｖが走行した路線、当該路線を走行した時刻、及び、特定した路線／時刻における当該移動体Ｖの乗客人数を特定し、相互に紐付する。
【００４１】
データ解析処理部２３Ｂは、解析用データを解析した解析結果データとして、上述のようにして特定した種々の情報を含む移動体別乗車人数データを生成する。移動体別乗車人数データは、各移動体Ｖごとの個別の乗車人数に関するデータであり、乗車人数の計数対象となった当該移動体Ｖ、時刻ごと／位置ごとの当該移動体Ｖの乗車人数、当該移動体Ｖが走行した路線、当該路線を走行した時刻、及び、特定した路線／時刻における当該移動体Ｖの乗客人数等を表すデータである。そして、データ解析処理部２３Ｂは、生成した移動体別乗車人数データを含む解析結果データを解析結果ＤＢ２２Ｃに蓄積しデータベース化して記憶させる。
【００４２】
図２は、一例として、データ解析処理部２３Ｂによって生成された移動体別乗車人数データに含まれる移動体Ｖ個別の乗車人数であって、図３に示す移動体（路線バス）Ｖが走行した路線Ｒ１における当該移動体Ｖの乗車人数を表している。図２は、予め任意に設定される単位時間当たりの当該移動体Ｖの乗車人数を表している。ここでは、図２は、単位時間を２４時間、すなわち、１日単位とし、１週間（７日分）分の乗車人数を示し、あわせて週間平均も示している。なお、乗車人数を表す際の単位時間は、１日単位に限らず、任意に設定されればよく、例えば、より短い時間に設定されてもよいし、より長い時間に設定されてもよい（以下の説明でも同様である。）。データ解析処理部２３Ｂは、任意に設定された当該単位時間当たりの乗車人数を計数することができる。
【００４３】
本実施形態のデータ解析処理部２３Ｂは、上記のような移動体Ｖの内部の乗車人数を計数する処理を、複数の路線を走行する全ての移動体Ｖごとに行う。そして、データ解析処理部２３Ｂは、複数の路線の各路線ごとに、複数の移動体Ｖの乗車人数を計数する。すなわち、データ解析処理部２３Ｂは、複数の路線のうち特定の路線を移動した全ての移動体Ｖの当該特定の路線での乗車人数を集約し、当該特定の路線における全ての移動体Ｖの合計の乗車人数（延べの乗車人数）を計数する。
【００４４】
より詳細には、本実施形態のデータ解析処理部２３Ｂは、解析用データに含まれる位置データに基づいて、複数の記録装置１０によって収集された解析用データから、複数の路線のうち特定の路線を移動した移動体Ｖの乗車人数を抽出する。この場合、データ解析処理部２３Ｂは、上述した移動体別乗車人数データから、特定の路線を移動した移動体Ｖの移動体別乗車人数データを抽出し、当該特定の路線を移動した移動体Ｖの乗車人数を抽出してもよい。また、データ解析処理部２３Ｂは、複数の記録装置１０によって収集された解析用データから、特定の路線を移動した移動体Ｖで収集された解析用データを抽出し、当該特定の路線を移動した移動体Ｖの乗車人数を抽出してもよい。そして、データ解析処理部２３Ｂは、抽出した特定の路線を移動した全ての移動体Ｖの乗車人数の当該特定の路線での乗車人数を集約し、当該特定の路線における全ての移動体Ｖの合計の乗車人数（延べの乗車人数）を計数する。
【００４５】
以下、図４、図５、図６、図７を参照して、データ解析処理部２３Ｂによる特定の路線における複数の移動体Ｖの乗車人数の計数の具体例について説明する。以下で説明する例は、バスＡ、バスＢ、バスＣ、及び、バスＤの合計４台の移動体Ｖによって、図４に例示する路線Ｒ２１、路線Ｒ２２、及び、路線Ｒ２３の合計３路線を運行する場合を説明する。この例では、図５に示すように、バスＡ、バスＣ、及び、バスＤは、路線Ｒ２１、路線Ｒ２２、及び、路線Ｒ２３の合計３路線全てを走行し、バスＢは、３路線のうち路線Ｒ２１、及び、路線Ｒ２２の２路線のみを走行するものとして説明する。
【００４６】
この場合、データ解析処理部２３Ｂは、まず、データ前処理部２３Ａによって前処理が施された解析用データに含まれる位置データに基づいて、複数の記録装置１０によって収集された解析用データから、特定の路線を移動した全ての移動体Ｖの乗車人数を抽出する。この例では、データ解析処理部２３Ｂは、特定の路線として、路線Ｒ２１を移動した全ての移動体Ｖの個別の乗車人数、路線Ｒ２２を移動した全ての移動体Ｖの個別の乗車人数、路線Ｒ２３を移動した全ての移動体Ｖの個別の乗車人数をそれぞれ抽出する。図５に例示するように、ここでは、データ解析処理部２３Ｂは、路線Ｒ２１を移動した移動体Ｖの個別の乗車人数として、バスＡ、バスＢ、バスＣ、及び、バスＤの全ての移動体Ｖの個別の乗車人数を抽出する。同様に、データ解析処理部２３Ｂは、路線Ｒ２２を移動した移動体Ｖの個別の乗車人数として、バスＡ、バスＢ、バスＣ、及び、バスＤの全ての移動体Ｖの個別の乗車人数を抽出する。そして、データ解析処理部２３Ｂは、路線Ｒ２３を移動した移動体Ｖの個別の乗車人数として、バスＢを除く、バスＡ、バスＣ、及び、バスＤの３台の移動体Ｖの個別の乗車人数を抽出する。
【００４７】
図５は、抽出した各路線Ｒ２１、Ｒ２２、Ｒ２３における移動体Ｖの個別の乗車人数の一例を、移動体Ｖごと、単位時間ごとに表したものである。ここでは、図５は、単位時間を３時間とし、１日の乗車人数を示し、運行開始時刻の６：００から運行終了時刻の１８：００までの１営業日分の３時間ごとの各移動体Ｖごとの乗車人数を示している。なお、図５は、あわせて路線Ｒ２１、Ｒ２２、Ｒ２３を特定しない各移動体Ｖの合計の乗車人数、及び、路線Ｒ２１、Ｒ２２、Ｒ２３を特定しない各時間帯の合計の乗車人数も示している。
【００４８】
そして、データ解析処理部２３Ｂは、抽出した特定の路線Ｒ２１、Ｒ２２、Ｒ２３を移動した全ての移動体Ｖの乗車人数の当該各路線Ｒ２１、Ｒ２２、Ｒ２３での乗車人数をそれぞれ集約、合算する。これにより、データ解析処理部２３Ｂは、各路線Ｒ２１、Ｒ２２、Ｒ２３における全ての移動体Ｖの合計の乗車人数（延べの乗車人数）をそれぞれ計数する。図６は、図５で示す例において、単位時間を１営業日（１日）とした場合の各路線Ｒ２１、Ｒ２２、Ｒ２３における全ての移動体Ｖの合計の乗車人数を示している。この場合、データ解析処理部２３Ｂは、路線Ｒ２１の１営業日分の乗車人数として、バスＡの「６：００−９：００」の乗車人数、バスＢの「９：００−１２：００」の乗車人数、バスＣの「１５：００−１８：００」の乗車人数、及び、バスＤの「１２：００−１５：００」の乗車人数を集約、合算することで、当該路線Ｒ２１における１営業日分の延べの乗車人数を計数することができる（図６の「３３０」参照）。同様に、データ解析処理部２３Ｂは、路線Ｒ２２の１営業日分の乗車人数として、バスＡの「９：００−１２：００」、「１２：００−１５：００」の乗車人数、バスＢの「６：００−９：００」、「１２：００−１５：００」、「１５：００−１８：００」の乗車人数、バスＣの「６：００−９：００」、「９：００−１２：００」の乗車人数、及び、バスＤの「１５：００−１８：００」の乗車人数を集約、合算することで、当該路線Ｒ２２における１営業日分の延べの乗車人数を計数することができる（図６の「９００」参照）。さらに、データ解析処理部２３Ｂは、路線Ｒ２３の１営業日分の乗車人数として、バスＡの「１５：００−１８：００」の乗車人数、バスＣの「１２：００−１５：００」の乗車人数、及び、バスＤの「６：００−９：００」、「９：００−１２：００」の乗車人数を集約、合算することで、当該路線Ｒ２３における１営業日分の延べの乗車人数を計数することができる（図６の「２２５」参照）。なお、図６は、複数の路線Ｒ２１、Ｒ２２、Ｒ２３における１営業日分の延べの乗車人数を合算した合計の乗車人数も示している。
【００４９】
また、データ解析処理部２３Ｂは、さらに、図７に示すように、１営業日分の各路線Ｒ２１、Ｒ２２、Ｒ２３の乗車人数を複数組み合わせて、各路線Ｒ２１、Ｒ２２、Ｒ２３ごとの乗車人数を計数するようにすることもできる。図７は、図２と同様に、単位時間を２４時間、すなわち、１日単位とし、１週間（７日分）分の各路線Ｒ２１、Ｒ２２、Ｒ２３における全ての移動体Ｖの乗車人数を示している。なお、図７は、あわせて各路線Ｒ２１、Ｒ２２、Ｒ２３における全ての移動体Ｖの乗車人数の週間平均、及び、路線Ｒ２１、Ｒ２２、Ｒ２３を特定しない各曜日の合計の乗車人数も示している。
【００５０】
データ解析処理部２３Ｂは、解析用データを解析した解析結果データとして、上述のようにして特定した種々の情報を含む路線別乗車人数データを生成する。路線別乗車人数データは、各路線ごとの乗車人数に関するデータであり、乗車人数の計数対象となった路線、当該路線ごとの全ての移動体Ｖの延べの乗車人数等を表すデータである。そして、データ解析処理部２３Ｂは、生成した路線別乗車人数データを含む解析結果データを解析結果ＤＢ２２Ｃに蓄積しデータベース化して記憶させる。
【００５１】
また、本実施形態のデータ解析処理部２３Ｂは、データ前処理部２３Ａによって前処理が施された解析用データに基づいて、画像データが表す画像に含まれる人物の属性を解析する部分でもある。
【００５２】
データ解析処理部２３Ｂは、画像データに基づいてデータ前処理部２３Ａによって切り出された静止画像から検出、抽出された人物の属性を解析する。データ解析処理部２３Ｂは、典型的には、上記の複数の路線の各路線ごとに、画像データが表す画像に含まれる人物の属性を解析する。この場合、データ解析処理部２３Ｂは、例えば、複数の記録装置１０によって収集された解析用データから、位置データ等に基づいて特定の路線を移動した移動体Ｖで収集された解析用データを抽出する。そして、データ解析処理部２３Ｂは、抽出した解析用データに基づいて、画像データが表す画像に含まれる人物の属性を解析することで、複数の路線の各路線ごとに、各移動体Ｖに乗車した人物の属性を解析する。図４、図５、図６、図７で説明した例で言えば、データ解析処理部２３Ｂは、路線Ｒ２１、路線Ｒ２２、路線Ｒ２３ごとに、各路線を移動した移動体Ｖで収集された解析用データに基づいて、画像データが表す画像に含まれる人物の属性を解析する。ここでは、データ解析処理部２３Ｂは、例えば、種々の公知の人工知能（Ａｒｔｉｆｉｃｉａｌ  Ｉｎｔｅｌｌｉｇｅｎｃｅ）技術や深層学習（Ｄｅｅｐ  Ｌｅａｒｎｉｎｇ）技術を用いて画像データが表す画像に含まれる人物の属性、及び、当該属性が特定された人物の人流を解析する処理を実行可能に構成される。
【００５３】
具体的には、データ解析処理部２３Ｂは、上述のように、データ前処理部２３Ａによって切り出された静止画像から人物を検出し抽出する処理を実行する。そして、本実施形態のデータ解析処理部２３Ｂは、画像データが表す画像から当該検出、抽出された人物の特徴点を含む画像を抽出する処理を実行する。ここで、当該人物の特徴点とは、画像に含まれる人物において当該人物の属性を特定可能な部位である。当該人物の特徴点とは、例えば、当該人物の表情が現われる顔、しぐさ・ジェスチャが現れる手足、アクセサリ等が装着されやすい傾向にある位置等の部位である。データ解析処理部２３Ｂは、例えば、異なる角度から撮像された多数の画像から、人物の属性特定に用いることができる当該人物の特徴点が写った画像を抽出する。
【００５４】
そして、データ解析処理部２３Ｂは、画像データから抽出した人物の特徴点を含む画像に基づいて、当該画像に含まれる人物の属性を解析する処理を実行する。データ解析処理部２３Ｂは、例えば、解析参照ＤＢ２２Ｂに記憶されている属性予測参照データ（解析参照データ）と、画像データから抽出された画像に含まれる人物の特徴点とに基づいて、当該人物の属性を解析する。ここで、属性予測参照データは、人工知能技術や深層学習技術を用いた様々な手法によって、画像に含まれる人物の特徴点等に応じて推定可能な当該人物の属性を学習した結果が反映される情報である。言い換えれば、属性予測参照データは、画像に含まれる人物の特徴点等に基づいて人物の属性を推定するために、人工知能技術や深層学習技術を用いた様々な手法を用いてデータベース化されたデータである。この属性予測参照データは、逐次更新可能である。属性予測参照データは、例えば、データ解析処理部２３Ｂによる解析結果を表す解析結果データ（人物属性データ）自体を学習のためのデータとすることもできる。
【００５５】
データ解析処理部２３Ｂによって解析される人物の属性としては、典型的には、当該人物の外観の特徴点から解析可能な事項、例えば、当該人物の性別、年齢、体格、社会的地位、嗜好、又は、行動志向等を含む。ここで、性別とは、男性、女性の別を表す属性である。年齢とは、生まれてから現在（その時）までの年月の長さを表す属性である。体格とは、身長、体重、各種寸法等を表す属性である。社会的地位とは、職業（自営業、ビジネスマン、警官、学生、無職、アルバイト）、年収、身分、同行者等を表す属性である。嗜好とは、服装・所持品・ファッションの傾向（カジュアル志向、エレガント志向、ブランド志向、高級志向、ファストファッション志向）、趣味（スポーツ／サブカルチャー／アウトドア／美容等）等を表す属性である。行動志向とは、その時点での気分、興味関心（やりたいこと、行きたいところ）等を表す属性である。つまりここでは、データ解析処理部２３Ｂは、人物の属性として、性別、年齢、体格、社会的地位、嗜好、行動志向等を推定する。
【００５６】
データ解析処理部２３Ｂは、属性予測参照データを参照して、画像に含まれる人物の特徴点に対応する属性（性別、年齢、体格、社会的地位、嗜好、又は、行動志向）を抽出し、抽出した属性を当該画像に映り込んだ人物の属性であるものと推定する。データ解析処理部２３Ｂは、例えば、画像に含まれる人物の特徴点である顔の表情、手足のしぐさ・ジェスチャ、装着されているアクセサリや洋服等に応じて、属性予測参照データを参照し、当該特徴点にあう属性をマッチングし、当該人物の性別、年齢、体格、社会的地位、嗜好、行動志向等の属性を推定する。
【００５７】
そしてさらに、データ解析処理部２３Ｂは、人物の属性が特定された画像データに紐付された位置データに基づいて、上記のようにして属性が特定された人物の位置等を解析する処理を実行する。データ解析処理部２３Ｂは、例えば、解析対象ＤＢ２２Ａから、人物の属性が特定された画像データに紐付された位置データを読み出す。そして、データ解析処理部２３Ｂは、解析参照ＤＢ２２Ｂに記憶されている地図参照データ（解析参照データ）と、読み出した位置データとに基づいて、当該属性が特定された人物の位置等を解析する。例えば、データ解析処理部２３Ｂは、地図参照データを参照して、当該位置データに基づいて当該画像が撮像された位置を特定する。そして、データ解析処理部２３Ｂは、当該位置データが表す位置に基づいて、属性が特定された人物の位置を特定する。
【００５８】
データ解析処理部２３Ｂは、解析用データを解析した解析結果データとして、上記のように解析した人物の属性を表す人物属性データ、及び、属性が特定された人物の位置を表す属性別位置データを生成する。そして、データ解析処理部２３Ｂは、生成した人物属性データ、及び、属性別位置データを含む解析結果データを解析結果ＤＢ２２Ｃに蓄積しデータベース化して記憶させる。
【００５９】
なお、本実施形態の記録装置１０が搭載された移動体Ｖは、内部に出力装置ＯＤを搭載している。出力装置ＯＤは、コンテンツを出力可能な装置であり、複数の移動体Ｖの内部にそれぞれ設けられる。出力装置ＯＤは、ネットワーク上に実装され、様々なコンテンツがネットワークを介して提供されるいわゆるクラウドサービス型の装置を構成してもよいし、ネットワークから切り離されたいわゆるスタンドアローン型の装置を構成してもよい。出力装置ＯＤは、コンテンツに応じた画像を表示可能であるディスプレイ、コンテンツに応じた音・音声を出力可能であるスピーカ等を含んで構成される。出力装置ＯＤが出力するコンテンツとしては、例えば、広告やクーポン等のコンテンツの他、地域情報や所定の施設への道順情報、災害時の避難経路／安全サポート情報等、様々な案内情報を構成するコンテンツを含んでいてもよい。出力装置ＯＤが出力するコンテンツのデータは、ネットワークや記録媒体等を介して逐次更新可能である。
【００６０】
そして、本実施形態のデータ解析処理部２３Ｂは、さらに、解析結果データとして、移動体別乗車人数データ、路線別乗車人数データ等に基づく商用利用データを生成する処理も実行可能に構成されてもよい。具体的には、本実施形態のデータ解析処理部２３は、各移動体Ｖの内部に設けられた出力装置ＯＤからのコンテンツの受容可能範囲を通過した通過者人数を表す指標を算出する。ここで、出力装置ＯＤのコンテンツの受容可能範囲とは、出力装置ＯＤが出力するコンテンツを人物が受容できる空間範囲であり、出力装置ＯＤが表示する画像を人物が視認できる可視範囲、出力装置ＯＤが出力する音・音声を人物が聴き取りできる可聴範囲等に応じて定まる。
【００６１】
データ解析処理部２３は、例えば、各路線ごとの乗車人数を表す路線別乗車人数データに基づいて、各路線ごとに、上記受容可能範囲を通過した通過者人数を表す指標を算出する。あわせて、データ解析処理部２３は、各移動体Ｖごとの乗車人数を表す移動体別乗車人数データに基づいて、各移動体Ｖごとに、上記受容可能範囲を通過した通過者人数を表す指標を算出するようにしてもよい。そして、データ解析処理部２３は、当該指標を表す商用利用データを生成し、生成した商用利用データを含む解析結果データを解析結果ＤＢ２２Ｃに蓄積しデータベース化して記憶させる。
【００６２】
ここで、上述の出力装置ＯＤのコンテンツの受容可能範囲を通過した通過者人数は、当該出力装置ＯＤのコンテンツを受容した人数であるものとみなすることができる。そして、当該受容可能範囲は、出力装置ＯＤが移動体Ｖの内部に設置された場合においては、典型的には、移動体Ｖの内部全体とみなすることができる。このため、移動体Ｖの内部の出力装置ＯＤのコンテンツの受容可能範囲を通過した通過者人数は、当該移動体Ｖの乗車人数と略同数であるものとみなすることができる。
【００６３】
上記を踏まえて、本実施形態のデータ解析処理部２３Ｂは、移動体Ｖの乗車人数を、コンテンツの受容可能範囲の通過者人数とする。すなわちここでは、データ解析処理部２３Ｂは、移動体別乗車人数データが表す各移動体Ｖごとの乗客人数を、各移動体Ｖごとのコンテンツの受容可能範囲の通過者人数とする。同様に、データ解析処理部２３Ｂは、路線別乗車人数データが表す各路線ごとの乗客人数を、各路線ごとのコンテンツの受容可能範囲の通過者人数とする。
【００６４】
そして、データ解析処理部２３Ｂは、コンテンツの受容可能範囲を通過した通過者人数そのものを当該通過者人数を表す指標としてもよいし、当該通過者人数に基づいて当該通過者人数を表す指標を算出してもよい。データ解析処理部２３Ｂが算出する通過者人数を表す指標としては、例えば、「ＤＥＣ：Ｄａｉｌｙ  Ｅｆｆｅｃｔｉｖｅ  Ｃｉｒｃｕｌａｔｉｏｎ」や「ＧＲＰ：Ｇｒｏｓｓ  Ｒａｔｉｎｇ  Ｐｏｉｎｔ」等が挙げられる。「ＤＥＣ」、「ＧＲＰ」は、共に広告の効果を表す指標である。「ＤＥＣ」は、典型的には、対象の広告の受容可能範囲（可視範囲）を通過する１日の通過者人数である。「ＤＥＣ」は、例えば、満１８歳以上等、所定の年齢制限を満たす人を対象とした通過者人数としてもよいし、年齢制限を設けず全ての人を対象とした通過者人数としてもよい。「ＧＲＰ」は、典型的には、対象の広告に対して１日に到達可能なエリア内の対象人口における上記受容可能範囲を通過する１日の通過者人数の割合である。「ＧＲＰ」は、［ＤＥＣ／対象エリア内の対象人口］で表すことができる。「対象エリア内の対象人口」は、「ＤＥＣ」の対象に年齢制限を設けた場合には対象エリア内の当該年齢制限を満たす人口となる。
【００６５】
データ解析処理部２３Ｂは、各移動体Ｖごとのコンテンツの受容可能範囲の通過者人数に基づいて、通過者人数を表す指標として、各移動体Ｖごとの「ＤＥＣ」、「ＧＲＰ」を算出することができる。例えば、上述の図２で説明した各移動体Ｖごとの１日の乗車人数やその平均値、図５で説明した各移動体Ｖの合計の乗車人数等が各移動体Ｖごとの「ＤＥＣ」に相当する。
【００６６】
同様に、データ解析処理部２３Ｂは、各路線ごとのコンテンツの受容可能範囲の通過者人数に基づいて、通過者人数を表す指標として、各路線ごとの「ＤＥＣ」、「ＧＲＰ」を算出することができる。例えば、上述の図６、図７で説明した各路線ごとの１日の乗車人数やその平均値が各路線ごとの「ＤＥＣ」に相当する。
【００６７】
そして、データ解析処理部２３Ｂは、受容可能範囲を通過した通過者人数を表す指標として、各移動体Ｖごと、各路線ごとの「ＤＥＣ」、「ＧＲＰ」を表す商用利用データを生成し、生成した商用利用データを含む解析結果データを解析結果ＤＢ２２Ｃに蓄積しデータベース化して記憶させることができる。
【００６８】
データ加工処理部２３Ｃは、データ解析処理部２３Ｂによって解析された解析結果データを所望の形式に加工する処理を実行する部分である。データ加工処理部２３Ｃは、解析結果データに含まれる移動体別乗車人数データ、路線別乗車人数データ、人物属性データ、属性別人流データ、商用利用データ等を所望の形式に加工する。データ加工処理部２３Ｃは、例えば、図８に例示するように、移動体別乗車人数データ、路線別乗車人数データ、人物属性データ、属性別人流データ、商用利用データを含む解析結果データを、いつ、どの路線のどこに、どんな属性の人が何人いたか、移動体Ｖごとの「ＤＥＣ」、「ＧＲＰ」、路線ごとの「ＤＥＣ」、「ＧＲＰ」等を地図上にプロットしたものや各種グラフ、ダイヤグラム等に加工する。そして、処理部２３は、データ加工処理部２３Ｃによって所望の形式に加工された解析結果データを、データ入出力部２１を介してクライアント端末ＣＬに出力する処理を実行する。クライアント端末ＣＬは、解析装置２０から提供された解析結果データを、例えば、商圏調査、マーケティング、広告、広告料を決める際の判断材料、防災・都市計画等の各種用途にて利用可能とする端末である。クライアント端末ＣＬは、例えば、ノート型ＰＣ、デスクトップ型ＰＣ、タブレット型ＰＣ、スマートフォン、携帯端末等によって構成される。
【００６９】
次に、図９のフローチャート図を参照し解析システム１における処理の一例を説明する。
【００７０】
まず、複数の移動体Ｖにそれぞれ搭載された複数の記録装置１０は、移動体Ｖの移動に伴って画像データ、位置データを含む解析用データを収集する（ステップＳ１）。
【００７１】
次に、記録装置１０は、収集した解析用データを、データ入出力部１３を介して出力し、解析装置２０のデータ入出力部２１を介して解析装置２０に入力する（ステップＳ２）。解析装置２０に入力された解析用データは、解析対象ＤＢ２２Ａに記憶される。
【００７２】
次に、解析装置２０のデータ前処理部２３Ａは、解析対象ＤＢ２２Ａに記憶されている解析用データに対して、上述したような種々の前処理を施す（ステップＳ３）。
【００７３】
次に、解析装置２０のデータ解析処理部２３Ｂは、データ前処理部２３Ａによって前処理が施された解析用データに基づいて解析を行い、解析結果データとして、移動体別乗車人数データ、路線別乗車人数データ、人物属性データ、属性別人流データ、商用利用データ等を生成する（ステップＳ４）。
【００７４】
そして、データ解析処理部２３Ｂは、生成した移動体別乗車人数データ、路線別乗車人数データ、人物属性データ、属性別人流データ、商用利用データ等の解析結果データを解析結果ＤＢ２２Ｃに蓄積しデータベース化して記憶させる（ステップＳ５）。
【００７５】
次に、解析装置２０のデータ加工処理部２３Ｃは、クライアント端末ＣＬ等からの要求に応じて、解析結果ＤＢ２２Ｃに記憶されている解析結果データ（移動体別乗車人数データ、路線別乗車人数データ、人物属性データ、属性別人流データ、商用利用データ等）を、図８に例示したような所望の形式に加工する（ステップＳ６）。
【００７６】
そして、解析装置２０の処理部２３は、データ加工処理部２３Ｃによって所望の形式に加工された解析結果データを、データ入出力部２１を介してクライアント端末ＣＬに出力、提供し（ステップＳ７）、一連の処理を終了する。
【００７７】
以上で説明した解析システム１は、複数の移動体Ｖにそれぞれ搭載された複数の記録装置１０によって、各移動体Ｖの内部の画像を表す画像データ、及び、位置データを含む解析用データを収集することができる。そして、解析装置２０は、複数の記録装置１０によって収集された当該解析用データに基づいて、複数の路線の各路線ごとに、複数の移動体Ｖの乗車人数を計数することができる。すなわち、この解析システムは、例えば、配車の効率化等のために、１台の移動体Ｖが一日の間に複数の路線を走行しつつ、複数の移動体Ｖが複数の路線に渡って使い分けられて運行するような場合であっても、各移動体Ｖごとの乗車人数だけでなく、例えば、各路線に紐付いた各路線ごとの延べの乗車人数を適正に計数することができる。この結果、この解析システム１は、複数の移動体Ｖが移動する複数の路線の各路線ごとに適正に人物の流動の傾向を解析することができる。そして、解析システム１は、上記のように解析した各路線ごとの人物の流動の傾向を、商圏調査、マーケティング、広告、広告料を決める際の判断材料、防災・都市計画等の様々な用途で活用させることができる。
【００７８】
ここでは、以上で説明した解析システム１は、画像データが表す画像に含まれる人物の数に基づいて移動体Ｖの乗車人数を計数する。これにより、解析システム１は、例えば、目視等により人手で移動体Ｖの乗車人数を計数するような場合と比較して、計数の作業負荷を低減し、計数自体の頻度を大幅に向上することができる。この結果、解析システム１は、より精度よく人物の流動の傾向を解析することができる。
【００７９】
より詳細には、以上で説明した解析システム１は、複数の記録装置１０によって収集された解析用データから特定の路線を移動した移動体Ｖの乗車人数を抽出し、当該特定の路線を移動した全ての移動体Ｖごとの当該特定の路線での乗車人数を集約し当該特定の路線における全ての移動体Ｖの合計の乗車人数を計数する。したがって、解析システム１は、複数の記録装置１０によって収集された解析用データに基づいて、複数の路線の各路線ごとにおける全ての移動体の合計の乗車人数を適正に計数することができる。
【００８０】
また、以上で説明した解析システム１は、さらに、解析装置２０によって解析用データに基づいて、複数の路線の各路線ごとに、画像データが表す画像に含まれる人物の属性を解析する。この結果、この解析システム１は、複数の移動体Ｖが移動する複数の路線の各路線ごとに、人物の流動の傾向として、移動体Ｖの乗車人数に加えて、移動体Ｖに乗車した人物の属性も解析することができる。これにより、この解析システム１は、例えば、複数の移動体Ｖによって運行される各路線ごとの乗車人数だけでなく、当該各路線ごとの乗車者の属性傾向を把握させることができ、逆に、所望の属性傾向の乗車者が多い路線等を容易に特定することができる。この結果、解析システム１は、各路線ごとの人物の流動の傾向を、上記のような様々な用途でより好適に活用させることができる。
【００８１】
一例として、以上で説明した解析システム１は、解析装置２０によって、複数の路線の各路線ごとの乗車人数に基づいて、当該各路線ごとに、移動体Ｖに搭載された出力装置ＯＤのコンテンツの受容可能範囲を通過した通過者人数を表す指標を算出する。この結果、解析システム１は、各路線ごとの当該指標を、例えば、各路線ごとに、出力装置ＯＤから出力するコンテンツの利用料（広告料等）を決める際の判断材料として好適に活用させることができる。また、解析システム１は、各路線ごとの乗車者の属性傾向を、例えば、各路線ごとに移動体Ｖの出力装置ＯＤから出力するコンテンツを決める際の判断材料として好適に活用させることができる。
【００８２】
なお、上述した本発明の実施形態に係る解析システムは、上述した実施形態に限定されず、特許請求の範囲に記載された範囲で種々の変更が可能である。
【００８３】
以上で説明した移動体Ｖは、内部に出力装置ＯＤを搭載しているものとして説明したがこれに限らない。解析装置２０は、複数の路線の各路線ごとに、出力装置ＯＤのコンテンツの受容可能範囲を通過した通過者人数を表す指標を算出するものとして説明したがこれに限らない。
【００８４】
また、以上で説明した解析装置２０は、複数の路線の各路線ごとに、画像データが表す画像に含まれる人物の属性を解析するものとして説明したがこれに限らない。
【００８５】
以上で説明した制御部１４、解析装置２０は、各部が別体に構成され、当該各部が各種の電気信号を相互に授受可能に接続されることで構成されてもよく、一部の機能が他の制御装置によって実現されてもよい。また、以上で説明したプログラム、アプリケーション、各種データ等は、適宜、更新されてもよいし、解析システム１に対して任意のネットワークを介して接続されたサーバに記憶されていてもよい。以上で説明したプログラム、アプリケーション、各種データ等は、例えば、必要に応じてその全部又は一部をダウンロードすることも可能である。また、例えば、制御部１４、解析装置２０が備える処理機能については、その全部又は任意の一部を、例えば、ＣＰＵ等及び当該ＣＰＵ等にて解釈実行されるプログラムにて実現してもよく、また、ワイヤードロジック等によるハードウェアとして実現してもよい。
【００８６】
例えば、解析システム１は、解析装置２０のデータ前処理部２３Ａ、データ解析処理部２３Ｂの一部の機能が各記録装置１０側に設けられていてもよい。例えば、解析システム１は、各記録装置１０側で人物を含む外周画像の切り取り等の１次画像解析を行い、各記録装置１０から解析装置２０に送信された解析用データに基づくデータに応じて、解析装置２０側で、乗車人数の計数、人物属性の解析等の２次画像解析を行うようにしてもよい。また例えば、解析システム１は、各記録装置１０側で各移動体Ｖごとの個別の乗車人数を計数し移動体別乗車人数データを生成し、各記録装置１０から解析装置２０に送信された解析用データに基づくデータに応じて、解析装置２０側で、各路線ごとに複数の移動体Ｖの乗車人数を計数し路線別乗車人数データを生成してもよい。
【符号の説明】
【００８７】
１    解析システム
１０    記録装置（データ収集装置）
１１    内部カメラ
１２    位置情報測定器
１３、２１    データ入出力部
１４    制御部
１４Ａ、２２    記憶部
１４Ｂ、２３    処理部
２０    解析装置（データ解析装置）
２２Ａ    解析対象ＤＢ
２２Ｂ    解析参照ＤＢ
２２Ｃ    解析結果ＤＢ
２３Ａ    データ前処理部
２３Ｂ    データ解析処理部
２３Ｃ    データ加工処理部
ＣＬ    クライアント端末
ＯＤ    出力装置
Ｒ１、Ｒ２１、Ｒ２２、Ｒ２３    路線
Ｖ    移動体
【図１】
2020071494.tif 000003
【図２】
2020071494.tif 000004
【図３】
2020071494.tif 000005
【図４】
2020071494.tif 000006
【図５】
2020071494.tif 000007
【図６】
2020071494.tif 000008
【図７】
2020071494.tif 000009
【図８】
2020071494.tif 000010
【図９】
2020071494.tif 000011